(57)【要約】【課題】  猫についた猫砂や排泄物、ごみ等が外部に散乱することを防止できる猫用トイレを提供する。【解決手段】  本発明は、前開口端と、該前開口端と連通している収容部と、該収容部の内部における後端と隣接する位置に形成され、前側下方へ傾斜する傾斜面とを備える下層部と、前記下層部の後端の近傍の上方に形成され、前記傾斜面の上に位置すると共に、前記収容部と連通する垂直通路と、両側に延出部が設けられると共に、前記垂直通路と連通する入口とを備える、該下層部と連通する上層部と、からなるハウジングと、前記傾斜面の前側下方と隣接し、前記ハウジングにおける下層部の前開口端から開閉可能に設置される、内部に収容部を備えたトレーと、を有することを特徴とする。【選択図】  図２
2009261284.tif 000002
【特許請求の範囲】
【請求項１】
前開口端と、該前開口端と連通している収容部と、該収容部の内部における後端と隣接する位置に形成され、前側下方へ傾斜する傾斜面とを備える下層部と、
前記下層部の後端の近傍の上方に形成され、前記傾斜面の上に位置すると共に、前記収容部と連通する垂直通路と、両側に延出部が設けられると共に、前記垂直通路と連通する入口とを備える、該下層部と連通する上層部と、
からなるハウジングと、
前記傾斜面の前側下方と隣接し、前記ハウジングにおける下層部の前開口端から開閉可能に設置される、内部に収容部を備えたトレーと、を有することを特徴とする猫用トイレ。
【請求項２】
前記ハウジングの下層部の
上方に取り付けられる、前記収容部と連通する大メッシュと、
前記下層部の上方における、前記大メッシュの前側に取り付けられ、前記収容部と連通する小メッシュと
をさらに有することを特徴とする請求項１に記載の猫用トイレ。
【請求項３】
前記大メッシュのメッシュ部は、前記小メッシュより大きいことを特徴とする請求項２に記載の猫用トイレ。
【発明の詳細な説明】
【技術分野】
【０００１】
本発明は、特に猫砂や排泄物等の散乱を防止する猫用トイレに関するものである。
【背景技術】
【０００２】
一般に、猫の用足しには、猫砂が入ったトレー形の猫用トイレを使用している。
【０００３】
尚、前記従来の猫トイレは、一般によく使用されるものであるので、特に特許文献又は非特許文献には記載されていない。
【発明の開示】
【発明が解決しようとする課題】
【０００４】
しかしながら、猫には、用足し後、猫砂を掘って排泄物の上にかけるという習性があることから、上記従来の猫用トイレでは、猫砂が猫用トイレの外部に散乱してしまうと共に、排泄物や猫砂が猫の足について部屋中のいたるところを汚してしまうので、頻繁に掃除をしなければならないといった問題があった。
【０００５】
そこで、出願されたのが本発明であって、猫砂や排泄物等の散乱を防止する猫用トイレを提供することを目的としている。
【課題を解決するための手段】
【０００６】
本願の請求項１の発明は、前開口端と、該前開口端と連通している収容部と、該収容部の内部における後端と隣接する位置に形成され、前側下方へ傾斜する傾斜面とを備える下層部と、前記下層部の後端の近傍の上方に形成され、前記傾斜面の上に位置すると共に、前記収容部と連通する垂直通路と、両側に延出部が設けられると共に、前記垂直通路と連通する入口とを備える、該下層部と連通する上層部と、からなるハウジングと、前記傾斜面の前側下方と隣接し、前記ハウジングにおける下層部の前開口端から開閉可能に設置される、内部に収容部を備えたトレーと、を有することを特徴とする猫用トイレを提供するものである。
【０００７】
本願の請求項２の発明は、前記ハウジングの下層部の上方に取り付けられる、前記収容部と連通する大メッシュと、前記下層部の上方における、前記大メッシュの前側に取り付けられ、前記収容部と連通する小メッシュとをさらに有することを特徴とする請求項１に記載の猫用トイレを提供するものである。
【０００８】
本願の請求項３の発明は、前記大メッシュのメッシュ部は、前記小メッシュより大きいことを特徴とする請求項２に記載の猫用トイレを提供するものである。
【発明の効果】
【０００９】
本発明の猫用トイレは、前記の構造を有していることから、本発明に係る猫用トイレでは、用足しした猫が猫砂を掘り起こしても、猫砂や排泄物等が外部に散乱することはなく、また、猫の足等に付着した猫砂や排泄物、ごみ等も取り去ることができるので、部屋を汚す心配もない。
【発明を実施するための最良の形態】
【００１０】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１１】
図１は本発明に係る猫用トイレの斜視図であり、図２は図１に示す猫用トイレの透視図であり、図３は図１に示す猫用トイレの使用状態を示す斜視図である。
【００１２】
図１及び図２に示すように、本発明に係る猫用トイレは、下層部（１０）と上層部（２０）とからなるハウジングと、トレー（３０）とを有する。
【００１３】
前記下層部（１０）は、前開口端（１１）と、該前開口端（１１）と連通している収容部（１５）と、該収容部（１５）の内部における後端と隣接する位置に形成され、前側下方へ傾斜する傾斜面（１３）とを備える略直方体であり、更に、大メッシュ（１７）及び小メッシュ（１８）を有してもよい。この構成によれば、猫が前記傾斜面（１３）から収容部（１５）へ入ることができ、且つ、該傾斜面（１３）を通過した時に傾斜面（１３）に落ちたごみも自然に収容部（１５）へ落下させることができる。
【００１４】
前記大メッシュ（１７）は、収容部（１５）と連通するように下層部（１０）の上方に取り付けられていると共に、前記小メッシュ（１８）も収容部（１５）と連通するように、前記下層部（１０）の上方における、大メッシュ（１７）の前方に取り付けられ、該大メッシュ（１７）は、前記小メッシュ（１８）より大径である。この構成によれば、猫がハウジングから出るとき、前記大メッシュ（１７）と小メッシュ（１８）を順に通るので、猫の足に付着した猫砂や排泄物、ゴミ等を大メッシュ（１７）及び小メッシュ（１８）から収容部（１５）に落下させて回収することができる。
【００１５】
前記上層部（２０）は、前記下層部（１０）の後端の近傍その上方に形成され、該下層部（１０）と連通していると共に、傾斜面（１３）の上に位置し、収容部（１５）と連通する垂直通路（２５）及び該垂直通路（２５）と連通する入口（２１）を備え、更に、入口（２１）の両側にそれぞれ延出部（２６）が設けられる。前記延出部（２６）は入口（２１）の両側から前方へ向かって延出しているので、不注意による猫の落下を防止することができる。
【００１６】
図３に示すように、前記トレー（３０）は、傾斜面（１３）の前側下方と隣接し、且つ、前記ハウジングにおける下層部（１０）の前開口端（１１）から開閉可能に設置され、内部に収容部（３１）を有する引き出しであり、猫の用足し用として使用する以外に、猫がハウジングから出て行く時に、大メッシュ（１７）及び小メッシュ（１８）から落とした猫砂や排泄物、ごみ等を回収するためのものでもある。尚、前記トレー（３０）は着脱可能であるので、汚れた猫砂を新しいものに簡単に交換することができる。
【００１７】
また、猫が本発明の猫用トイレを使用する時は、まず前方に設けられた入口（２１）よりハウジング内に入り、傾斜面（１３）に飛びついてから、下方の収容部（１５）に設置されているトレー（３０）上に進入して用足しをする。故に、この構成によれば、猫が掘った猫砂の、ハウジングの外部への散乱を防ぐことができる。
【００１８】
そして、用足しを終えた猫は、前記傾斜面（１３）に飛びついてから、再び前記上層部（２０）に飛びつき、前方の入口（２１）から出るが、このとき、猫から傾斜面（１３）に落ちた猫砂や排出物、ごみ等が前記トレー（３０）に落下する仕組みとなっている。
【００１９】
更に、猫が前記傾斜面（１３）から上層部（２０）に飛びついた時にも、猫から落ちた猫砂や排泄物、ごみ等が前記トレー（３０）に落下し、その後、猫が前記大メッシュ（１７）及び小メッシュ（１８）を通過する時も、猫の足或いは猫の体に付着した猫砂や排出物、ごみ等が落ち、該大メッシュ（１７）及び小メッシュ（１８）を介して前記下方の収容部（１５）に落下する設計となっている。
【産業上の利用可能性】
【００２０】
上述の通り、本発明に係る猫用トイレは、用足しした猫の体についた猫砂や排泄物、ごみ等を除去することができるので、部屋を汚す恐れは無く、また、汚れた猫砂の交換も簡単にできるので、実用性に優れている。
【図面の簡単な説明】
【００２１】
【図１】本発明に係る猫用トイレの斜視図である。
【図２】図１に示す猫用トイレの透視図である。
【図３】図１に示す猫用トイレの使用状態を示す斜視図である。
【符号の説明】
【００２２】
１０ 下層部
１１ 前開口端
１３ 傾斜面
１５ 収容部
１７ 大メッシュ
１８ 小メッシュ
２０ 上層部
２１ 入口
２５ 垂直通路
２６ 延出部
３０ トレー
３１ 収納部
【図１】
2009261284.tif 000003
【図２】
2009261284.tif 000004
【図３】
2009261284.tif 000005